(57)【要約】【課題】機体に対してリヤカバーを着脱自在に取り付けるロータリ耕耘装置におけるリヤカバーの支持機構を提供することを課題としている。【解決手段】ロータリ耕耘装置の機体１０側に、耕耘用のロータリ８の後方側を覆うリヤカバー１７を支持する支持機構１６を設け、支持機構１６を、リヤカバー１７側のカバー支持体２５と、機体１０側のブラケット部２７とから構成し、カバー支持体２５とブラケット部２７とを着脱自在とし、リヤカバー１７とロータリ８の上方側を覆うメインカバー１４とによって、ロータリ８を構成した。そしてブラケット部２７を、耕耘土に対する作業を行う作業機Ａ側の作業機支持体３５の着脱自在な装着も可能とした。【選択図】図１
2005065539.tif 000002
【特許請求の範囲】
【請求項１】
耕耘用のロータリ（８）を覆うロータリカバー（１３）が、前記ロータリ（８）の上方側を覆うメインカバー（１４）と、ロータリ（８）の後方側を覆うリヤカバー（１７）とを備え、該リヤカバー（１３）をメインカバー（１４）の後方において上下回動自在に配したロータリ耕耘装置において、ロータリ耕耘装置の機体（１０）側にリヤカバー（１７）を支持する支持機構（１６）を設け、支持機構（１６）を、リヤカバー（１７）側のカバー支持体（２５）と、機体（１０）側のブラケット部（２７）とから構成し、カバー支持体（２５）とブラケット部（２７）とを着脱自在としたロータリ耕耘装置におけるリヤカバーの支持機構。
【請求項２】
ブラケット部（２７）を、耕耘土に対する作業を行う作業機（Ａ）側の作業機支持体（３５）の着脱自在な装着が可能となるように構成した請求項１のロータリ耕耘装置におけるリヤカバーの支持機構。
【発明の詳細な説明】
【技術分野】
【０００１】
本発明は、ロータリ耕耘装置におけるリヤカバーの支持機構に関する。
【背景技術】
【０００２】
従来耕耘用のロータリを覆うロータリカバーが、前記ロータリの上方側を覆うメインカバーと、ロータリの後方側を覆うリヤカバーとを備え、該リヤカバーをメインカバーの後方において上下回動自在に配したロータリ耕耘装置が公知となっている（例えば特許文献１参照）。
【特許文献１】特開平１１−２８９８０６号公報
【発明の開示】
【発明が解決しようとする課題】
【０００３】
上記ロータリ耕耘装置は、例えば畦の整形を行う整形器等のようなリヤカバーを必要としない作業機を取り付けて使用することができるが、該作業機を取り付ける場合は、図７に示されるように、リヤカバーが通常の状態であると、作業機ａの妨げとなるため、リヤカバーｂを跳ね上げ、跳ね上げた状態を維持するとともに、リヤカバーｂを避けるような支持機構ｃによってツールバーｄにして作業機ａを取り付ける必要があり、リヤカバーｂの処理が面倒で、且つ支持機構ｃの形状が複雑になるという欠点のほか、リヤカバーｂが妨げとなり、作業により適した位置に作業機を取り付けることができない場合があるという欠点があった。
【課題を解決するための手段】
【０００４】
上記課題を解決するための本発明のロータリ耕耘装置におけるリヤカバーの支持機構は、耕耘用のロータリ８を覆うロータリカバー１３が、前記ロータリ８の上方側を覆うメインカバー１４と、ロータリ８の後方側を覆うリヤカバー１７とを備え、該リヤカバー１３をメインカバー１４の後方において上下回動自在に配したロータリ耕耘装置において、ロータリ耕耘装置の機体１０側にリヤカバー１７を支持する支持機構１６を設け、支持機構１６を、リヤカバー１７側のカバー支持体２５と、機体１０側のブラケット部２７とから構成し、カバー支持体２５とブラケット部２７とを着脱自在としたことを特徴とする。
【０００５】
またブラケット部２７を、耕耘土に対する作業を行う作業機Ａ側の作業機支持体３５の着脱自在な装着が可能となるように構成したことを第２の特徴としている。
【発明の効果】
【０００６】
以上のように構成される本発明の構造によると、カバー支持体とブラケット部とを分離させることによって、リヤカバーをロータリ耕耘装置から簡単に取り外すことができ、例えば畦の整形を行う整形器等のようなリヤカバーを必要としない作業機を使用する場合、リヤカバーを取り外すことによって、作業機の取付けを容易に行うことができる他、作業機の取付け位置の制約が少なくなるため、作業により適した位置に作業機を取り付け、作業機による作業を簡単且つ効果的に行うことができるという効果がある。
【０００７】
特に上記作業機をブラケット部を使用してロータリ耕耘装置側に取り付けるように構成することによって、上記作業機の取付部を別途設ける必要が無く、リヤカバーを取り外したロータリ耕耘装置に、リヤカバーに代えて上記作業機等を簡単に取り付けることができるという利点がある。
【発明を実施するための最良の形態】
【０００８】
図１，図２は本発明のリヤカバーの支持機構を採用したロータリ耕耘装置の側面図及び平面図である。該ロータリ耕耘装置１は、図示しないトラクタの後方に連結され、トラクタの走行に伴い圃場の耕耘作業を行う従来公知のものであり、トラクタ側よりＰＴＯ動力が入力されるギヤケース２からパイプフレーム３が左右に突設されている。
【０００９】
そして上記パイプフレーム３の一方（左）の外端部にチェーンケース４が、他方（右）の外端部にサイドフレーム６がそれぞれ一体的に取り付けられて、機体フレーム７を構成しており、該機体フレーム７をベースにロータリ耕耘装置１の機体１０が構成されている。
【００１０】
このとき上記チェーンケース４及びサイドフレーム６は、共に下方に延出せしめられており、該サイドフレーム６とチェーンケース４の下部の間に、従来同様、耕耘用のロータリ８が回転駆動自在に軸支されている。
【００１１】
上記構造により、ギヤケース２に入力される駆動力がチェーンケース４を介してロータリ８に伝動され、これによりロータリ８が回転駆動され、圃場の耕耘作業を行う。なおギヤケース２の上部には、左右１対のプレート１２ａ，１２ｂからなるトップマスト１２が取付けられており、従来同様該トップマスト１２の前端部が、ロータリ耕耘装置１とトラクタとの連結点の１つとなっている。
【００１２】
一方ロータリ耕耘装置１の機体フレーム７側には、上記ロータリ８を覆うロータリカバー１３が設けられており、該ロータリカバー１３は、チェーンケース４とサイドフレーム６との間に設けられてロータリ８の上方側を覆うメインカバー１４と、該メインカバー１４の後方に支持機構１６を介して取り付けられてロータリ８の後方側を覆うリヤカバー１７とを備えている。
【００１３】
上記メインカバー１４は、側面視で円弧状をなす天板１４ａを母体として、該天板１４ａの左右両側端に側板１４ｂを取り付けた構造となっている。そして両側板１４ｂの下端が、チェーンケース４又はサイドフレーム６に、ロータリ８の回転軸心を中心として回動自在に支持されており、これによりメインカバー１４は、ロータリ８の回転軸心を中心として回動自在に支持されている。
【００１４】
そしてメインカバー１４は、トップマスト１２のプレート１２ａに形成されたレバーガイド２３から突出する操作レバー（図示せず）を、レバーガイド２３に設けられた複数（本実施形態においては３つ）の係合部２３ａ，２３ｂ，２３ｃのいずれか１つに係合させて位置決めすることによって、回動位置が段階的に切り換えられる。なお本実施形態においては、最前方の回動位置（普通耕耘位置）と、最後方の回動位置（浅耕耘位置）と、最前方と最後方の中間の回動位置（中間耕耘位置）の回動位置の３段階に切り換えられる。
【００１５】
一方天板１４ａの上面の左右両側には、パイプ状のスライドブラケット２７が前後方向に固定されており、該スライドブラケット２７にはスライド杆２８が前後スライド自在に挿入されている。またスライドブラケット２７にはスライド方向に複数の位置決め孔２９が穿設されており、ピン等をスライド杆２８に穿設されたピン孔３１を貫通させて位置決め孔２９に挿入することによって、スライドブラケット２７に対するスライド杆２８の位置を調節固定することができる。またスライド杆２８をスライドブラケット２７から脱抜して、スライド杆２８をスライドブラケット２７から分離することも可能となっている。
【００１６】
そして上記両スライド杆２８の後端には左右方向の横フレーム３２が固定され、さらに横フレーム３２の左右両側に下方に突出してブラケット３３が設けられ、リヤカバー１７を取り付けるカバー支持体２５が構成されており、該カバー支持体２５のブラケット３３にリヤカバー１７が支点軸１８を介して回動自在に軸支されている。なおリヤカバー１７は、横フレーム３２とリヤカバー１７の上面との間に設けられたロッド３４によって横フレーム３２側に吊支されている。またスライド杆２８のスライドブラケット２７に対する脱抜によって、カバー支持体２５とスライドブラケット２７とは着脱自在であり、すなわちカバー支持体２５は機体１０に対して着脱自在となっている。
【００１７】
以上のようにリヤカバー１７は、ブラケット部である左右のスライドブラケット２７とカバー支持体２５からなる支持機構１６を介してメインカバー１４側に取り付けられており、操作レバー２４によるメインカバー１４の回動時には、リヤカバー１７はメインカバー１４と一体的に揺動し、メインカバー１４に対して支点軸１８を中心に回動して圃場の均平を行う。
【００１８】
そしてスライドブラケット２７に対するスライド杆２８の位置を調節することによって、リヤカバー１７の位置（回動支点位置）を移動させることにより、リヤカバー１７の前後位置やロータリ８の後方側に形成される空間の広さ及び位置が変更され、円滑な作業を行うことができる耕耘深さの範囲が拡大し、リヤカバー１７やロータリ８の交換等を行うことなく様々な圃場や作業内容に応じることが可能となる。
【００１９】
一方スライド杆２８をスライドブラケット２７から脱抜し、カバー支持体２５を機体１０から取り外しことによって、図３，図４に示されるように、リヤカバー１７をロータリ耕耘装置１から簡単に取り外すことも可能である。このため図５，図６に示されるように、作業時にリヤカバー１７を必要としない作業機Ａに、スライドブラケット２７に挿脱可能なスライド杆２８を備えた作業機支持体３５を設けることによって、ロータリ耕耘装置１からリヤカバー１７を取り外し、スライドブラケット２７に作業機支持体３５のスライド杆２８を挿入して位置決めすることにより上記作業機Ａを容易に取り付けることができる。
【００２０】
例えば作業機Ａを畦の整形を行う整形器とし、作業機支持体３５にスライド杆２８を設けることによって、スライド杆２８をスライドブラケット２７に挿入して、前述のようにピン等によりスライド杆２８の位置決めを行うことによって、従来のようにリヤカバー１７を跳ね上げる等の姿勢変更させる必要無く、上記リヤカバー１７を取り外したロータリ耕耘装置１に、リヤカバー１７に代えて上記整形器（作業機Ａ）を簡単に取り付けることができる。
【００２１】
これによりリヤカバー１７が妨げになることなく、整形器によって円滑に畦の整形を行うことができ、特に整形器のロータリ８に対する前後位置を簡単に調節することができ、整形器をロータリ８に近接して設けることができるため、整形性を向上させることができる。また整形器のロータリ耕耘装置１への取付構造が、スライド杆２８で済むため、取付構造を簡単に構成し、整形器の構造を簡単なものにすることができる。
【００２２】
一方スライドブラケット２７の上方側には、角パイプからなる左右方向の支持杆３６が、ギヤケース２の後方側に取り付けられて設けられており、該支持杆３６には心土破砕用のサブソイラ３７等を取り付けるホルダ３８が左右位置調節自在に設けられている。
【００２３】
これによりリヤカバー１７の位置を後方側に調節し、リヤカバー１７とロータリ８との間に比較的大きなスペースを設けることによって、リヤカバー１７とロータリ８との間に、サブソイラ３７を容易に左右位置調節して取り付けることができ、特に深耕作業時において耕耘作業と同時に、サブソイラ３７が心土破砕作業を行い、耕盤部分の土を膨軟にするとともに、耕盤溝を形成し、水はけの良い圃場の造成や、耕盤近傍の残留肥料成分を流出させて作物の健全な生育を促進することができる。
【実施例１】
【００２４】
スライドブラケット２７を機体フレーム７側に設けることもできる。この場合メインカバー１４の揺動に対してリヤカバー１７が一体的に揺動することは無いが、リヤカバー１７を単独で位置調節することによって、円滑な耕耘作業を行うことは可能である。
【実施例２】
【００２５】
メインカバー１４を機体フレーム７側に固定したタイプのロータリ耕耘装置に、本リヤカバーの支持機構を採用することもできる。この場合スライドブラケット２７は、メインカバー１４の天板１４ａ又は機体フレーム７側に設けることができる。
【図面の簡単な説明】
【００２６】
【図１】リヤカバーを取り付けた状態のロータリ耕耘装置の側面図である。
【図２】リヤカバーを取り付けた状態のロータリ耕耘装置の側面図である。
【図３】リヤカバーを取り外した状態のロータリ耕耘装置の側面図である。
【図４】リヤカバーを取り外した状態のロータリ耕耘装置の側面図である。
【図５】作業機（整形器）を取り付けた状態のロータリ耕耘装置の側面図である。
【図６】作業機（整形器）を取り付けた状態のロータリ耕耘装置の側面図である。
【図７】リヤカバーを跳ね上げて作業機（整形器）を取り付けた状態のロータリ耕耘装置の側面図である。
【符号の説明】
【００２７】
８      ロータリ
１０    機体
１３    ロータリカバー
１４    メインカバー
１６    支持機構
１７    リヤカバー
２５    カバー支持体
２７    スライドブラケット（ブラケット部）
３５    作業機支持体
Ａ      作業機（整形器）
【図１】
2005065539.tif 000003
【図２】
2005065539.tif 000004
【図３】
2005065539.tif 000005
【図４】
2005065539.tif 000006
【図５】
2005065539.tif 000007
【図６】
2005065539.tif 000008
【図７】
2005065539.tif 000009